(57)【要約】【課題】すべてのコイル間の磁気結合が高いノイズフィルタを提供することを目的とするものである。【解決手段】第４の導体１６を第３の導体１５に沿うように第３の導体１５の線間に形成し、第６の導体１９を第５の導体１８に沿うように第５の導体１８の線間に形成し、さらに、第３、第４の導体１５，１６と、第５、第６の導体１８，１９とを積層方向に配置したものである。この構成によれば、各コイルを積層方向だけでなく、横方向でも磁気結合させているため、すべてのコイル間の磁気結合を高くすることができる。【選択図】図１
2006147969.tif 000002
【特許請求の範囲】
【請求項１】
積層された複数の絶縁層と、この複数の絶縁層に形成された少なくとも３以上のコイルとを備え、前記コイルのうち少なくとも一対のコイルを横方向に磁気結合させるとともに、前記一対のコイルと他のコイルとを積層方向に磁気結合させたノイズフィルタ。
【請求項２】
第１の絶縁層の上面に設けられた第１、第２の導体と、この第１、第２の導体の上面に設けられた第２の絶縁層と、この第２の絶縁層の上面に設けられ、かつ前記第１、第２の導体にそれぞれ接続された渦巻き状の第３、第４の導体と、この第３、第４の導体の上面に設けられた第３の絶縁層と、この第３の絶縁層の上面に設けられた渦巻き状の第５、第６の導体と、この第５、第６の導体の上面に設けられた第４の絶縁層と、この第４の絶縁層の上面に設けられ、かつ前記第５、第６の導体にそれぞれ接続された第７、第８の導体と、この第７、第８の導体の上面に設けられた第５の絶縁層と、前記第１〜第４の導体の各端部にそれぞれ接続された第１〜第８の引出電極と、前記第１の導体と前記第３の導体とで構成された第１のコイルと、前記第２の導体と前記第４の導体とで構成された第２のコイルと、前記第５の導体と前記第７の導体とで構成された第３のコイルと、前記第６の導体と前記第８の導体とで構成された第４のコイルとを備え、前記第４の導体を前記第３の導体に沿うように第３の導体の線間に形成し、かつ前記第６の導体を前記第５の導体に沿うように第５の導体の線間に形成したノイズフィルタ。
【請求項３】
第１、第５の絶縁層を磁性体で構成し、かつ第２〜第４の絶縁層を非磁性体で構成した請求項２記載のノイズフィルタ。
【請求項４】
第１、第２、第７、第８の導体の形状を渦巻き状とした請求項２記載のノイズフィルタ。
【請求項５】
少なくとも第２、第４の絶縁層において第３〜第６の導体の渦巻きの内側に磁性材料からなる磁性部を設けた請求項２記載のノイズフィルタ。
【請求項６】
第１の絶縁層の上面に設けられた第１、第２の導体と、この第１、第２の導体の上面に設けられた第２の絶縁層と、この第２の絶縁層の上面に設けられた渦巻き状の第３、第４の導体と、この第３、第４の導体の上面に設けられた第３の絶縁層と、この第３の絶縁層の上面に設けられ、かつ前記第１、第２の導体にそれぞれ接続された渦巻き状の第５、第６の導体と、この第５、第６の導体の上面に設けられた第４の絶縁層と、この第４の絶縁層の上面に設けられ、かつ前記第３、第４の導体にそれぞれ接続された第７、第８の導体と、この第７、第８の導体の上面に設けられた第５の絶縁層と、前記第１〜第４の導体の各端部にそれぞれ接続された第１〜第８の引出電極と、前記第１の導体と前記第５の導体とで構成された第１のコイルと、前記第２の導体と前記第６の導体とで構成された第２のコイルと、前記第３の導体と前記第７の導体とで構成された第３のコイルと、前記第４の導体と前記第８の導体とで構成された第４のコイルとを備え、前記第４の導体を前記第３の導体に沿うように第３の導体の線間に形成し、前記第６の導体を前記第５の導体に沿うように第５の導体の線間に形成したノイズフィルタ。
【発明の詳細な説明】
【技術分野】
【０００１】
本発明は、各種電子機器に使用される小型で積層型のノイズフィルタに関するものである。
【背景技術】
【０００２】
図６は、従来のノイズフィルタの分解斜視図である。
【０００３】
従来のノイズフィルタとしては、１つの製品の中に３つのコイルが内蔵された製品が実用化されている。図６に示すように従来のノイズフィルタは、コイル導体１ａ〜１ｄ、２ａ〜２ｄ、３ａ〜３ｄをそれぞれ表面に設けた複数の絶縁シート４と、これらの絶縁シート４を積み重ねた最上部の上面及び最下部の下面に位置するカバーシート５とで構成されている。前記コイル導体１ａ〜１ｄは、絶縁シート４にそれぞれ設けたバイア電極（図示せず）を介して電気的に直列に接続されて、複数の絶縁シート４を積み重ねた上下方向に対して平行な軸を有する第１のコイル６を形成している。これと同様にして、コイル導体２ａ〜２ｄにより第２のコイル７を、コイル導体３ａ〜３ｄにより第３のコイル８をそれぞれ形成している。
【０００４】
上記のような構成とすることにより、３つのコイル６，７，８を磁気結合させて、第１のコイル６と第２のコイル７および第３のコイル８の各コモンモード成分のインピーダンスを大きくし、これにより、コモンモードノイズを除去するようにしていた。
【０００５】
なお、この出願の発明に関する先行技術文献情報としては、例えば、特許文献１が知られている。
【特許文献１】特開平１１−１８６０５６号公報
【発明の開示】
【発明が解決しようとする課題】
【０００６】
上記した従来のノイズフィルタは、すべてのコイル６，７，８を積層方向に順に形成しているため、第１のコイル６と第３のコイル８の距離が離れ、これにより、これらのコイル間の磁気結合が低くなってしまうという課題を有していた。
【０００７】
本発明は上記従来の課題を解決するもので、すべてのコイル間の磁気結合が高いノイズフィルタを提供することを目的とするものである。
【課題を解決するための手段】
【０００８】
上記目的を達成するために本発明は、以下の構成を有するものである。
【０００９】
本発明の請求項１に記載の発明は、積層された複数の絶縁層と、この複数の絶縁層に形成された３以上のコイルとを備え、前記コイルのうち少なくとも一対のコイルを横方向に磁気結合させるとともに、前記一対のコイルと他のコイルとを積層方向に磁気結合させたもので、この構成によれば、各コイルを積層方向だけでなく、横方向でも磁気結合させているため、すべてのコイル間の磁気結合を高くすることができるという作用効果が得られるものである。
【００１０】
本発明の請求項２に記載の発明は、第１の絶縁層の上面に設けられた第１、第２の導体と、この第１、第２の導体の上面に設けられた第２の絶縁層と、この第２の絶縁層の上面に設けられ、かつ前記第１、第２の導体にそれぞれ接続された渦巻き状の第３、第４の導体と、この第３、第４の導体の上面に設けられた第３の絶縁層と、この第３の絶縁層の上面に設けられた渦巻き状の第５、第６の導体と、この第５、第６の導体の上面に設けられた第４の絶縁層と、この第４の絶縁層の上面に設けられ、かつ前記第５、第６の導体にそれぞれ接続された第７、第８の導体と、この第７、第８の導体の上面に設けられた第５の絶縁層と、前記第１〜第４の導体の各端部にそれぞれ接続された第１〜第８の引出電極と、前記第１の導体と前記第３の導体とで構成された第１のコイルと、前記第２の導体と前記第４の導体とで構成された第２のコイルと、前記第５の導体と前記第７の導体とで構成された第３のコイルと、前記第６の導体と前記第８の導体とで構成された第４のコイルとを備え、前記第４の導体を前記第３の導体に沿うように第３の導体の線間に形成し、前記第６の導体を前記第５の導体に沿うように第５の導体の線間に形成したもので、この構成によれば、第３の導体と第４の導体との関係、第５の導体と第６の導体との関係を、それぞれ同一面上で一方の導体が他方の導体に沿うように他方の導体の線間に配置される関係としているため、横方向に隣接する第１のコイルと第２のコイルとの間、第３のコイルと第４のコイルとの間で高い磁気結合を形成することができ、さらに、第３の導体および第４の導体と、第５の導体および第６の導体とを積層方向に配置しているため、積層方向に隣接する第１、第２のコイルと第３、第４のコイルとの間で高い磁気結合を形成することができ、これらにより、すべてのコイル間の磁気結合を高くすることができるという作用効果が得られるものである。
【００１１】
本発明の請求項３に記載の発明は、特に、第１、第５の絶縁層を磁性体で構成し、かつ第２〜第４の絶縁層を非磁性体で構成したもので、この構成によれば、磁性体で構成された第１の絶縁層および第５の絶縁層で発生する磁界を有効に活用でき、かつ非磁性体で構成された第２〜第４の絶縁層により磁束の漏れを少なくすることができるため、各コイル間の磁気結合が強まり、これにより、第１〜第４のコイルのコモンモード成分のインピーダンスを大きくすることができるという作用効果が得られるものである。
【００１２】
本発明の請求項４に記載の発明は、特に、第１、第２、第７、第８の導体の形状を渦巻き状としたもので、この構成によれば、各コイルの導体の長さを長くすることができるため、各コイルのインピーダンスを高くすることができるという作用効果が得られるものである。
【００１３】
本発明の請求項５に記載の発明は、特に、少なくとも第２、第４の絶縁層において第３〜第６の導体の渦巻きの内側に磁性材料からなる磁性部を設けたもので、この構成によれば、すべてのコイルの間を交差する磁界を強めることができるため、各コイルのコモンモード成分のインピーダンスを大きくすることができるという作用効果が得られるものである。
【００１４】
本発明の請求項６に記載の発明は、特に、第１の絶縁層の上面に設けられた第１、第２の導体と、この第１、第２の導体の上面に設けられた第２の絶縁層と、この第２の絶縁層の上面に設けられた渦巻き状の第３、第４の導体と、この第３、第４の導体の上面に設けられた第３の絶縁層と、この第３の絶縁層の上面に設けられ、かつ前記第１、第２の導体にそれぞれ接続された渦巻き状の第５、第６の導体と、この第５、第６の導体の上面に設けられた第４の絶縁層と、この第４の絶縁層の上面に設けられ前記第３、第４の導体にそれぞれ接続された第７、第８の導体と、この第７、第８の導体の上面に設けられた第５の絶縁層と、前記第１〜第４の導体の各端部にそれぞれ接続された第１〜第８の引出電極と、前記第１の導体と前記第５の導体とで構成された第１のコイルと、前記第２の導体と前記第６の導体とで構成された第２のコイルと、前記第３の導体と前記第７の導体とで構成された第３のコイルと、前記第４の導体と前記第８の導体とで構成された第４のコイルとを備え、前記第４の導体を前記第３の導体に沿うように第３の導体の線間に形成し、前記第６の導体を前記第５の導体に沿うように第５の導体の線間に形成したもので、この構成によれば、第１のコイルを構成する第５の導体が、第３のコイルを構成する第３の導体と第７の導体との間、および第４のコイルを構成する第４の導体と第８の導体との間に配置されているため、第１のコイルと第３、第４のコイルとの間の結合が高くなり、また、第２〜第４のコイルについても同様であるため、すべてのコイル間の磁気結合をより高くすることができるという作用効果が得られるものである。
【発明の効果】
【００１５】
以上のように本発明のノイズフィルタは、積層された複数の絶縁層と、この複数の絶縁層に形成された３以上のコイルとを備え、前記コイルのうち少なくとも一対のコイルを横方向に磁気結合させるとともに、前記一対のコイルと他のコイルとを積層方向に磁気結合させているため、各コイルを積層方向だけでなく、横方向でも磁気結合させることができ、これにより、すべてのコイル間の磁気結合を高くすることができるという優れた効果が得られるものである。
【発明を実施するための最良の形態】
【００１６】
（実施の形態１）
以下、実施の形態１を用いて、本発明の特に請求項１〜５に記載の発明について説明する。
【００１７】
図１は本発明の実施の形態１におけるノイズフィルタの分解斜視図、図２は同ノイズフィルタの斜視図である。
【００１８】
本発明の実施の形態１におけるノイズフィルタは、図１に示すように、第１の絶縁層１１の上面に設けられた第１の導体１２および第２の導体１３と、この第１、第２の導体１２，１３の上面に設けられた第２の絶縁層１４と、この第２の絶縁層１４の上面に設けられ、かつ前記第１、第２の導体１２，１３にそれぞれ接続された渦巻き状の第３、第４の導体１５，１６と、この第３、第４の導体１５，１６の上面に設けられた第３の絶縁層１７と、この第３の絶縁層１７の上面に設けられた渦巻き状の第５、第６の導体１８，１９と、この第５、第６の導体１８，１９の上面に設けられた第４の絶縁層２０と、この第４の絶縁層２０の上面に設けられ、かつ前記第５、第６の導体１８，１９にそれぞれ接続された第７、第８の導体２１，２２と、この第７、第８の導体２１，２２の上面に設けられた第５の絶縁層２３とを備えているものである。
【００１９】
そして、前記第１の導体１２と第３の導体１５とで第１のコイル２４を構成し、かつ第２の導体１３と第４の導体１６とで第２のコイル２５を構成し、さらに第５の導体１８と第７の導体２１とで第３のコイル２６を構成し、そしてまた第６の導体１９と第８の導体２２とで第４のコイル２７を構成し、そして前記第４の導体１６を第３の導体１５に沿うように第３の導体１５の線間に形成するとともに、第６の導体１９を第５の導体１８に沿うように第５の導体１８の線間に形成している。
【００２０】
また、前記第１の絶縁層１１および第５の絶縁層２３は磁性体で構成し、そして前記第２〜第４の絶縁層１４，１７，２０は非磁性体で構成しているものである。
【００２１】
上記構成において、前記第１の絶縁層１１は、Ｆｅ2Ｏ3をベースとしたフェライトなどの磁性材料によりシート状に構成されているもので、絶縁性を有している。
【００２２】
前記第１の導体１２および第２の導体１３は、銀等の導電材料をめっきすることにより形成されているもので、前記第１の絶縁層１１の上面に設けられている。
【００２３】
前記第２の絶縁層１４は、Ｃｕ−Ｚｎフェライト、ガラスセラミック等の非磁性材料によりシート状に構成されているもので、絶縁性を有し、かつ前記第１の導体１２および第２の導体１３の上面に設けられている。そして、この第２の絶縁層１４の中央部には第１のバイア電極２８と第２のバイア電極２９が形成されている。
【００２４】
前記第３の導体１５は、渦巻き状に銀等の導電材料をめっきすることにより形成されているもので、前記第２の絶縁層１４の上面に設けられている。また、この第３の導体１５における渦巻きの中心部は第１のバイア電極２８と接続されているもので、これにより、第１の導体１２と第３の導体１５とが接続されて、第１の導体１２と第３の導体１５からなる第１のコイル２４が形成される。
【００２５】
前記第４の導体１６は、渦巻き状に銀等の導電材料をめっきすることにより形成されているもので、前記第２の絶縁層１４の上面に設けられている。また、この第４の導体１６における渦巻きの中心部は第２のバイア電極２９と接続されているもので、これにより、第２の導体１３と第４の導体１６とが接続されて、第２の導体１３と第４の導体１６からなる第２のコイル２５が形成される。
【００２６】
また、前記第４の導体１６は、前記第３の導体１５に沿うように第３の導体１５の線間に形成されている。
【００２７】
前記第３の絶縁層１７は、Ｃｕ−Ｚｎフェライト、ガラスセラミック等の非磁性材料によりシート状に構成されているもので、絶縁性を有し、かつ前記第３の導体１５と第４の導体１６の上面に設けられている。
【００２８】
前記第５の導体１８および第６の導体１９は、それぞれ渦巻き状に銀等の導電材料をめっきすることにより形成されているもので、前記第３の絶縁層１７の上面に設けられている。
【００２９】
また、前記第６の導体１９は、前記第５の導体１８に沿うように第５の導体１８の線間に形成されている。
【００３０】
前記第４の絶縁層２０は、Ｃｕ−Ｚｎフェライト、ガラスセラミック等の非磁性材料によりシート状に構成されているもので、絶縁性を有し、かつ前記第５の導体１８と第６の導体１９の上面に設けられている。そして、この第４の絶縁層２０の中央部には第３のバイア電極３０と第４のバイア電極３１が形成されている。
【００３１】
前記第７の導体２１は、銀等の導電材料をめっきすることにより形成されているもので、前記第４の絶縁層２０の上面に設けられている。また、この第７の導体２１は、中心部が第３のバイア電極３０と接続されているもので、これにより、第５の導体１８と第７の導体２１とが接続されて、第５の導体１８と第７の導体２１からなる第３のコイル２６が形成される。
【００３２】
前記第８の導体２２は、銀等の導電材料をめっきすることにより形成されているもので、前記第４の絶縁層２０の上面に設けられている。また、この第８の導体２２は、中心部が第４のバイア電極３１と接続されているもので、これにより、第６の導体１９と第８の導体２２とが接続されて、第６の導体１９と第８の導体２２からなる第４のコイル２７が形成される。
【００３３】
なお、前記第１〜第４のバイア電極２８〜３１は、それぞれ第２の絶縁層１４、第４の絶縁層２０を貫通する孔に銀などの導電体を充填することにより構成しているものである。
【００３４】
前記第５の絶縁層２３は、Ｆｅ2Ｏ3をベースとしたフェライトなどの磁性材料によりシート状に構成されているもので、絶縁性を有し、かつ第７の導体２１および第８の導体２２の上面に設けられている。
【００３５】
上記したように、第１、第５の絶縁層１１，２３を磁性体で構成し、かつ第２〜第４の絶縁層１４，１７，２０を非磁性体で構成しているため、磁性体で構成された第１の絶縁層１１および第５の絶縁層２３で発生する磁界を有効に活用でき、かつ非磁性体で構成された第２〜第４の絶縁層１４，１７，２０により磁束の漏れを少なくすることができるため、各コイル間の磁気結合が強まり、これにより、第１〜第４のコイル２４〜２７のコモンモード成分のインピーダンスを大きくすることができる。
【００３６】
ここで、前記第２の絶縁層１４、第３の絶縁層１７、第４の絶縁層２０を構成する非磁性体材料としてフェライト系のものを使用すると、前記第１、第５の絶縁層１１，２３とはフェライト同士となるため、各絶縁層を同時に焼成しても、各絶縁層の接合性が良くなり、これにより、安定した製品ができるものである。
【００３７】
また、前記第１の絶縁層１１の下面と第５の絶縁層２３の上面にはそれぞれダミー絶縁層３２が設けられているもので、このダミー絶縁層３２は、シート状に構成され、かつ絶縁性を有している。そしてこの材料は磁性材料、非磁性材料のどちらで構成しても構わない。そしてまた、前記第１〜第５の絶縁層１１，１４，１７，２０，２３およびダミー絶縁層３２の枚数は、図１に示された枚数に限られるものではない。
【００３８】
そして、上記した構成とすることにより、図２に示すようなノイズフィルタ本体部３３が形成され、かつこのノイズフィルタ本体部３３の両側面には、第１〜第８の導体１２，１３，１５，１６，１８，１９，２１，２２の端部とそれぞれ接続されるように第１〜第８の外部電極３４〜４１が設けられている。
【００３９】
なお、前記第１〜第８の導体１２，１３，１５，１６，１８，１９，２１，２２は、めっきで形成するのではなく、その他の印刷や蒸着等の方法で形成してもよい。
【００４０】
また、図３に示すように、第１の導体１２、第２の導体１３、第７の導体２１および第８の導体２２の形状を渦巻き状に形成した場合は、各コイルの導体の長さを長くすることができるため、各コイルのインピーダンスを高くすることができる。このとき、第２の導体１３を第１の導体１２に沿うように第１の導体１２の線間に形成し、かつ第８の導体２２を第７の導体２１に沿うように第７の導体２１の線間に形成すれば、第１のコイル２４と第２のコイル２５との間および第３のコイル２６と第４のコイル２７との間でさらに高い磁気結合を得ることができるものである。
【００４１】
次に、本発明の実施の形態１におけるノイズフィルタの製造方法について説明する。
【００４２】
図１、図２において、まず、それぞれの原材料である磁性材料や非磁性材料の粉体および樹脂からなる混合物により、方形の第１〜第５の絶縁層１１，１４，１７，２０，２３、およびダミー絶縁層３２をそれぞれ所定枚数作製する。このとき、第２の絶縁層１４、第４の絶縁層２０の所定箇所に、レーザ、パンチングなどで孔あけ加工をし、この孔に銀を充填して、第１〜第４のバイア電極２８〜３１を形成しておく。
【００４３】
次に、所定枚数のダミー絶縁層３２の上面に、第１の絶縁層１１を配置する。
【００４４】
次に、第１の絶縁層１１の上面に、第１の導体１２および第２の導体１３を、めっきによって形成する。
【００４５】
次に、第１の導体１２と第２の導体１３の上面に、第１、第２のバイア電極２８，２９が設けられた第２の絶縁層１４を配置する。このとき、第１の導体１２と第１のバイア電極２８とを接続するとともに、第２の導体１３と第２のバイア電極２９とを接続する。
【００４６】
次に、第２の絶縁層１４の上面に、渦巻き状の第３の導体１５および第４の導体１６を、めっきによって形成する。このとき、第３の導体１５の渦巻きの中心部と第１のバイア電極２８とを接続するとともに、第４の導体１６の渦巻きの中心部と第２のバイア電極２９とを接続する。
【００４７】
次に、第３の導体１５と第４の導体１６の上面に、第３の絶縁層１７を配置する。
【００４８】
次に、第３の絶縁層１７の上面に、渦巻き状の第５の導体１８および第６の導体１９を、めっきによって形成する。
【００４９】
次に、第５の導体１８と第６の導体１９の上面に、第３のバイア電極３０と第４のバイア電極３１が設けられた第４の絶縁層２０を配置する。
【００５０】
このとき、第５の導体１８の渦巻きの中心部と第３のバイア電極３０とを接続するとともに、第６の導体１９の渦巻きの中心部と第４のバイア電極３１とを接続する。
【００５１】
次に、第４の絶縁層２０の上面に、第７の導体２１および第８の導体２２を、めっきによって形成する。このとき、第７の導体２１と第３のバイア電極３０とを接続するとともに、第８の導体２２と第４のバイア電極３１とを接続する。
【００５２】
なお、前記第１の導体１２、第２の導体１３、第３の導体１５、第４の導体１６、第５の導体１８、第６の導体１９、第７の導体２１、第８の導体２２の形成方法は、別途用意したベース板（図示せず）に所定パターン形状の導体をめっきによって形成し、その後、この導体を各絶縁層に転写することにより形成する。
【００５３】
次に、第７の導体２１と第８の導体２２の上面に、第５の絶縁層２３を配置し、その後、第５の絶縁層２３の上面に所定枚数のダミー絶縁層３２を配置して、ノイズフィルタ本体部３３を形成する。
【００５４】
次に、ノイズフィルタ本体部３３を所定の温度、時間で焼成する。
【００５５】
次に、ノイズフィルタ本体部３３の両側面に、第１〜第８の導体１２，１３，１５，１６，１８，１９，２１，２２の端部とそれぞれ接続されるように銀を印刷することにより、第１〜第８の外部電極３４〜４１を形成する。
【００５６】
最後に、第１〜第８の外部電極３４〜４１の表面にめっきによってニッケルめっき層を形成するとともに、さらにこのニッケルめっき層の表面にめっきによってすずやはんだなどの低融点金属めっき層を形成する。
【００５７】
上記した本発明の実施の形態１においては、第４の導体１６を第３の導体１５に沿うように第３の導体１５の線間に形成し、第６の導体１９を第５の導体１８に沿うように第５の導体１８の線間に形成しているため、横方向に隣接する第１のコイル２４と第２のコイル２５との間、および第３のコイル２６と第４のコイル２７との間で高い磁気結合を得ることができる。さらに、第３の導体１５および第４の導体１６と、第５の導体１８および第６の導体１９とを積層方向に配置しているため、積層方向に隣接する第１、第２のコイル２４，２５と第３、第４のコイル２６，２７との間で高い磁気結合を得ることができる。これらのことから、本発明の実施の形態１においては、積層方向に隣接するコイル同士だけでなく、横方向に隣接するコイル同士についても磁気結合させることができるため、すべてのコイル間の磁気結合を高くすることができるという優れた効果を得ることができるものである。
【００５８】
すなわち、一対のコイルからなるノイズフィルタを単に２つ設けたものではなく、すべてのコイルについて、積層方向に隣接するコイルと横方向に隣接するコイルの両方とを磁気結合させることにより、すべてのコイル間の磁気結合を大きくしている。
【００５９】
また、従来のノイズフィルタのように、すべてのコイルを積層方向に積み上げるような構成と比べて、横方向に複数のコイルを形成している分だけ製品全体の厚みを薄くできるという効果も得られるものである。
【００６０】
なお、上記した本発明の実施の形態１の他の例としては、図４に示すように、非磁性体で構成された第２〜第４の絶縁層１４，１７，２０において、それぞれ第３〜第６の導体１５，１６，１８，１９の渦巻きの内側の部分に対応する位置に磁性材料からなる磁性部４２を設けてもよいもので、この場合は、すべてのコイルで発生する磁束を磁性部４２に通すことができるため、すべてのコイルの間を交差する磁界を強めることができ、これにより、各コイルのコモンモード成分のインピーダンスを大きくすることができるものである。ここで、この磁性部４２は、第２〜第４の絶縁層１４，１７，２０を貫通する孔にＦｅ2Ｏ3をベースとしたフェライト等の磁性材料を充填することにより形成している。また、この磁性部４２は渦巻き状の第３〜第６の導体１５，１６，１８，１９における最も内側にある導体よりも内側に形成され、かつ第３〜第６の導体１５，１６，１８，１９とは接触しないように設けられている。
【００６１】
（実施の形態２）
以下、実施の形態２を用いて、本発明の特に請求項６に記載の発明について説明する。
【００６２】
図５は本発明の実施の形態２におけるノイズフィルタの分解斜視図である。なお、本発明の実施の形態２において、上記した本発明の実施の形態１の構成と同様の構成を有するものについては、同一符号を付しその説明は省略する。
【００６３】
図５において、本発明の実施の形態２が上記した本発明の実施の形態１と相違する点は、第１、第２の導体１２，１３を、第３、第４の導体１５，１６ではなく、第５、第６の導体１８，１９と接続し、そして第７、第８の導体２１，２２を、第５、第６の導体１８，１９ではなく、第３、第４の導体１５，１６と接続した点である。
【００６４】
すなわち、上記した本発明の実施の形態１では、各コイル２４〜２７は、積層方向に隣接する導体同士を接続することによって設けていたが、本発明の実施の形態２では、積層方向に交互となる位置の導体同士を接続しているものである。
【００６５】
このとき、第１、第２の導体１２，１３と第５、第６の導体１８，１９とを接続するために、第３の絶縁層１７に第１、第２のバイア電極２８，２９を設ける必要がある。これと同様に、第３、第４の導体１５，１６と第７、第８の導体２１，２２とを接続するために、第３の絶縁層１７にも第３、第４のバイア電極３０，３１を設ける必要がある。
【００６６】
このような構成にすることによって、例えば、第１のコイル２４を構成する第５の導体１８が、第３のコイル２６を構成する第３の導体１５と第７の導体２１との間、および第４のコイル２７を構成する第４の導体１６と第８の導体２２との間に配置されているため、第１のコイル２４と第３、第４のコイル２６，２７との間の結合が高くなる。また、第２〜第４のコイル２５〜２７についても同様であるため、すべてのコイル間の磁気結合をより高くすることができるという効果が得られる。
【００６７】
なお、上記本発明の実施の形態１、２におけるノイズフィルタにおいては、コイルを４つ設けたが、３つあるいは５つ以上設けてもよい。この場合も、各コイルについて積層方向に隣接するコイルだけでなく横方向にも隣接するコイルと磁気結合させると、すべてのコイル間の磁気結合を高くすることができるものである。
【産業上の利用可能性】
【００６８】
本発明に係るノイズフィルタは、すべてのコイル間の磁気結合が高く、携帯電話、情報機器等のノイズ対策として使用されるノイズフィルタ等として有用である。
【図面の簡単な説明】
【００６９】
【図１】本発明の実施の形態１におけるノイズフィルタの分解斜視図
【図２】同ノイズフィルタの斜視図
【図３】同ノイズフィルタの他の例を示す分解斜視図
【図４】同ノイズフィルタの他の例を示す分解斜視図
【図５】本発明の実施の形態２におけるノイズフィルタの分解斜視図
【図６】従来のノイズフィルタの分解斜視図
【符号の説明】
【００７０】
１１  第１の絶縁層
１２  第１の導体
１３  第２の導体
１４  第２の絶縁層
１５  第３の導体
１６  第４の導体
１７  第３の絶縁層
１８  第５の導体
１９  第６の導体
２０  第４の絶縁層
２１  第７の導体
２２  第８の導体
２３  第５の絶縁層
２４  第１のコイル
２５  第２のコイル
２６  第３のコイル
２７  第４のコイル
４２  磁性部
【図１】
2006147969.tif 000003
【図２】
2006147969.tif 000004
【図３】
2006147969.tif 000005
【図４】
2006147969.tif 000006
【図５】
2006147969.tif 000007
【図６】
2006147969.tif 000008